(57)【要約】      （修正有）【課題】２つの排紙通路を有するスキャン装置を提供する。【解決手段】スキャン装置１００は、２つの排紙通路８５，８６が設けられ、少なくとも１つのモーターと、用紙分離ローラーセット３と、超音波センサ４と、スキャンモジュール５と、パススイッチャー７と、制御装置を備え、用紙分離ローラーセットはモーターに連結され、用紙分離ローラーセットが駆動されて用紙の分離が行われ、超音波センサは用紙分離ローラーセットにより分離された用紙の給紙が１枚給紙か複数枚給紙かを検知し、スキャンモジュールはスキャンを行う。パススイッチャーはモーターに連結され、２つの排紙通路箇所に設置され、モーターにより第一位置及び第二位置に切り換えられ、制御装置は給紙した用紙の給紙が１枚給紙か複数枚給紙かの信号に基づいてパススイッチャーを駆動して第一位置または第二位置に切り換え１枚給紙及び複数枚給紙された用紙が排紙通路から選択的に排紙される。【選択図】図１
2019119561.tif 000002
【特許請求の範囲】
【請求項１】
内部には外部に連通される給紙通路が設けられ、前記給紙通路の前方には前記給紙通路に連接されるスキャン通路が設けられ、前記スキャン通路の前方には前記スキャン通路にそれぞれ連接される２つの排紙通路が設けられる２つの排紙通路を有するスキャン装置であって、前記２つの排紙通路を有する前記スキャン装置は、
少なくとも１つのモーターと、
前記給紙通路の後方に設けられ、スキャンされる用紙を置くための用紙トレイと、
前記モーターに連結され、スキャンされる複数枚の用紙の上方に上下移動可能に設置され、前記モーターにより駆動されて回転を行うことにより前記スキャンされる用紙が掴み取られると共に前記給紙通路に向けて給紙されるピックアップローラーと、
前記給紙通路内の前記用紙トレイに隣接する一端に装設され、前記モーターに連結され、前記モーターにより駆動されて前述の給紙された用紙の分離を行う用紙分離ローラーセットと、
超音波発信機及び超音波受信機を含み、前記超音波発信機及び超音波受信機は前記給紙通路の上下両側にそれぞれ設置されると共に前記用紙分離ローラーセットの前方に設置され、前記用紙分離ローラーセットにより分離された用紙の給紙が１枚給紙であるか複数枚給紙であるかを検知するための超音波センサと、
前記スキャン通路内に装設され、分離された用紙に対するスキャンを行うスキャンモジュールと、
前記モーターに連結されると共に前記２つの排紙通路及び前記スキャン通路の連接箇所に設置され、前記モーターにより駆動されて第一位置及び第二位置に切り換えられ、前記第一位置に切り換えられた場合、一方の排紙通路及び前記スキャン通路が封鎖され、他方の排紙通路及び前記スキャン通路が連通され、前記第二位置に切り換えられた場合、元々封鎖されていた排紙通路が開かれて前記スキャン通路に連通されると共に、元々前記スキャン通路に連通されていた排紙通路が封鎖されるパススイッチャーと、
前記モーター及び超音波センサに連結され、用紙分離ローラーセットが給紙した用紙の給紙が１枚給紙であるか複数枚給紙であるかを検知する前記超音波センサからの信号に基づいて前記モーターで前記パススイッチャーを駆動して前記第一位置または前記第二位置に切り換え、１枚で給紙及び複数枚で給紙された用紙が排紙通路からそれぞれ選択的に排紙される制御装置と、
を備えることを特徴とする２つの排紙通路を有するスキャン装置。
【請求項２】
前記スキャンモジュールは、前記スキャン通路内の上下両側にそれぞれ設置される上部スキャンモジュール及び下部スキャンモジュールを備えることを特徴とする請求項１に記載の２つの排紙通路を有するスキャン装置。
【請求項３】
前記パススイッチャーは前記モーターに連結されるシャフト及びシャフトに固設される封鎖片を備え、前記モーターにより前記シャフトが駆動されて回転を行うと、前記封鎖片が前記第一位置及び前記第二位置に切り換えられることを特徴とする請求項１に記載の２つの排紙通路を有するスキャン装置。
【請求項４】
２つの排紙ローラーセットを更に備え、前記排紙通路の末端にそれぞれ設置されると共に前記モーターに連結され、前記モーターにより前記排紙ローラーセットが駆動されて前記排紙通路内の用紙が排紙されることを特徴とする請求項１に記載の２つの排紙通路を有するスキャン装置。
【請求項５】
複数の用紙搬送ローラーセットを更に備え、前記モーターにそれぞれ連結されると共に前記給紙通路、前記スキャン通路及び前記排紙通路内に設置され、給紙された用紙を搬送するための用紙搬送ローラーセットを前記モーターが駆動することを特徴とする請求項１に記載の２つの排紙通路を有するスキャン装置。
【発明の詳細な説明】
【技術分野】
【０００１】
本発明は、スキャン装置に関し、更に詳しくは、２つの排紙通路を有するスキャン装置（scanning device with double paper-out channels）に関する。
【背景技術】
【０００２】
自動給紙機能を有する従来のスキャン装置は複数枚の給紙センサを有し、スキャン過程中に複数枚の給紙があるかどうかの状況を検知させることによって文書のスキャン漏れを回避させている。
【発明の概要】
【発明が解決しようとする課題】
【０００３】
従来のスキャン装置により複数枚の給紙がある状況が検知されると、２種類のオプションが設定される。その内の１種類では、複数枚の給紙が検知された場合、スキャン装置がスキャンを停止させ、操作員により複数枚給紙された用紙が取り出された後にスキャンを再開させる。しかしながら、前記オプションの欠点として、スキャンの途中でスキャン装置がスキャンを停止させ、操作員が複数枚給紙された用紙を取り出した後でなければスキャン装置のスキャンを再開できない点が挙げられる。もう１種類のオプションでは、複数枚の給紙が検知された場合、スキャン装置がスキャンを継続させ、全ての用紙のスキャンが完成した後に操作員が文書中からスキャン漏れした文書を取り出し、スキャン漏れした文書を再度スキャンすることによって全ての文書のスキャンを完成させる。前記オプションの欠点は、操作員が文書中からスキャン漏れした文書を探し出さねばならない点である。以上の２種類のオプションでは、どちらも使用が不便になる。そこで、本発明者は上記の欠点が改善可能と考え、鋭意検討を重ねた結果、合理的かつ効果的に課題を改善する本発明の提案に到った。
【０００４】
本発明は、以上の従来技術の課題を解決する為になされたものである。即ち、本発明の目的は、２つの排紙通路を有するスキャン装置を提供することである。すなわち、従来の技術に存在する欠陥及び不足に対し、スキャン過程中に複数枚の給紙が発生した場合でも使用に不便をきたさない２つの排紙通路を有するスキャン装置を提供することによって使用者の需要を満たす。
【課題を解決するための手段】
【０００５】
上述した課題を解決し、上記目的を達成するため、本発明に係る２つの排紙通路を有するスキャン装置は、内部には外部に連通される給紙通路が設けられ、給紙通路の前方には給紙通路に連接されるスキャン通路が設けられ、スキャン通路の前方にはスキャン通路にそれぞれ連接される２つの排紙通路が設けられる。前記２つの排紙通路を有するスキャン装置は少なくとも１つのモーターと、用紙トレイと、ピックアップローラーと、用紙分離ローラーセットと、超音波センサと、スキャンモジュールと、パススイッチャーと、制御装置とを備える。用紙トレイは給紙通路の後方に設置され、スキャンされる用紙を置くために使用される。ピックアップローラーはモーターに連結され、スキャンされる複数枚の用紙の上方に上下移動可能に設置され、モーターによりピックアップローラーが駆動されて回転を行うことにより前記スキャンされる用紙が掴み取られると共に給紙通路に向けて給紙される。用紙分離ローラーセットは給紙通路内の用紙トレイに隣接する一端に装設され、用紙分離ローラーセットはモーターに連結され、モーターにより用紙分離ローラーセットが駆動されて前記給紙される用紙の分離が行われる。超音波センサは超音波発信機及び超音波受信機を含み、前記超音波発信機及び超音波受信機は給紙通路の上下両側にそれぞれ設置されると共に用紙分離ローラーセットの前方に設置され、超音波センサは用紙分離ローラーセットにより分離された用紙の給紙が１枚給紙であるか複数枚給紙であるかを検知する。スキャンモジュールはスキャン通路内に装設され、分離された用紙に対するスキャンを行う。パススイッチャーはモーターに連結されると共に２つの排紙通路とスキャン通路との連接箇所に設置され、前記モーターによりパススイッチャーが駆動されて第一位置及び第二位置に切り換えられる。パススイッチャーが第一位置に切り換えられた場合、一方の排紙通路及びスキャン通路が封鎖され、他方の排紙通路及びスキャン通路が連通される。パススイッチャーが第二位置に切り換えられた場合、元々封鎖されていた排紙通路が開かれてスキャン通路に連通され、元々スキャン通路に連通されていた排紙通路が封鎖される。制御装置はモーター及び超音波センサに連結され、用紙分離ローラーセットが給紙した用紙の給紙が１枚給紙であるか複数枚給紙であるかを検知する超音波センサからの信号に基づいてモーターでパススイッチャーを駆動して第一位置または第二位置に切り換え、１枚で給紙及び複数枚で給紙される用紙が排紙通路からそれぞれ選択的に排紙される。
【発明の効果】
【０００６】
上述したように、本発明に係る２つの排紙通路を有するスキャン装置において、制御装置は用紙分離ローラーセットが給紙した用紙の給紙が１枚給紙であるか複数枚給紙であるかを検知する超音波センサからの信号に基づいてモーターでパススイッチャーを駆動して第一位置または第二位置に切り換えることにより、１枚で給紙及び複数枚で給紙される用紙はスキャン過程中に排紙通路からそれぞれ選択的に排紙されることが可能である。スキャンが完成した後、複数枚給紙された用紙を再スキャンするのみで全ての用紙のスキャンが完成する。本発明に係る２つの排紙通路を有するスキャン装置は、スキャン過程中で複数枚の給紙が発生した場合でも使用に不便をきたさず、使用者の需要を満たすことが可能である。
【図面の簡単な説明】
【０００７】
【図１】本発明の一実施形態に係る２つの排紙通路を有するスキャン装置を示す概略図である。
【図２】図１に示す２つの排紙通路を有するスキャン装置のパススイッチャーにより第二位置に切り替えられる概略図である。
【図３】本発明の２つの排紙通路を有するスキャン装置のパススイッチャーを示す斜視図である。
【発明を実施するための形態】
【０００８】
以下に図面を参照して、本発明を実施するための形態について、詳細に説明する。なお、本発明は、以下に説明する実施形態に限定されるものではない。尚、以下に説明される構成の全てが、本発明の必須要件であるとは限らない。
【０００９】
以下、図１〜３を参照しながら、本発明をさらに詳しく説明する。まず、図１及び図２に示されるように、本発明の２つの排紙通路を有するスキャン装置１００は、少なくとも１つのモーター（図示せず）と、用紙トレイ１と、ピックアップローラー２と、用紙分離ローラーセット３と、超音波センサ４と、スキャンモジュール５と、複数の用紙搬送ローラーセット６と、パススイッチャー７と、２つの排紙ローラーセット８１、８２と、制御装置（図示せず）とを備える。
【００１０】
図１に示されるように、前記スキャン装置１００の内部には外部に連通される給紙通路８３が設けられ、用紙２００の給紙方向が前方と定義され、用紙２００の給紙方向とは反対の方向が後方と定義される。給紙通路８３の前方には給紙通路８３に連接されるスキャン通路８４が設けられ、スキャン通路８４の前方にはスキャン通路８４にそれぞれ連接される２つの排紙通路が設けられ、その内の１つの排紙通路が第一排紙通路８５と定義され、もう１つの排紙通路が第二排紙通路８６と定義される。
【００１１】
前記用紙トレイ１は給紙通路８３の後方に設置され、用紙トレイ１はスキャンされる用紙２００を置くために使用される。スキャンされる複数枚の用紙２００は上下に積み重ねられて用紙トレイ１に装設される。前記ピックアップローラー２はモーターに連結され、用紙トレイ１の上方に上下移動可能に設置される。
【００１２】
前記用紙分離ローラーセット３は給紙通路８３内の用紙トレイ１に隣接する一端に装設され、前記用紙分離ローラーセット３はモーターに連結され、上部用紙分離ローラー３１及び下部用紙分離ローラー３２を備え、前記上部用紙分離ローラー３１及び下部用紙分離ローラー３２は給紙通路８３の上下両側にそれぞれ設置される。
【００１３】
前記超音波センサ４は超音波発信機４１及び超音波受信機４２を備え、前記超音波発信機４１及び超音波受信機４２は給紙通路８３の上下両側にそれぞれ設置されると共に用紙分離ローラーセット３の前方に設置される。前記スキャンモジュール５はスキャン通路８４内に装設され、上部スキャンモジュール５１及び下部スキャンモジュール５２を含み、前記上部スキャンモジュール５１及び下部スキャンモジュール５２はスキャン通路８４内の上下両側にそれぞれ設置される。
【００１４】
次は、図１及び図３に示されるように、前記パススイッチャー７はモーターに連結されると共に２つの排紙通路とスキャン通路８４との連接箇所に設置され、前記モーターによりパススイッチャー７が駆動されて第一位置及び第二位置に切り換えられる。パススイッチャー７が第一位置に切り換えられると何れか１つの排紙通路及びスキャン通路８４が封鎖され、もう１つの排紙通路及びスキャン通路８４が連通される。パススイッチャー７が第二位置に切り換えられると、元々封鎖されていた排紙通路が開かれてスキャン通路８４に連通され、元々スキャン通路８４に連通されていた排紙通路が封鎖される。本実施形態では、前記パススイッチャー７はモーターに連結されるシャフト７１及びシャフト７１に固設される封鎖片７２を備える。モーターによりシャフト７１が駆動されて回転を行うと、封鎖片７２が第一位置及び第二位置に切り換えられる。封鎖片７２が第一位置に切り換えられた場合、封鎖片７１により第二排紙通路８６が封鎖され、第二排紙通路８６がスキャン通路８４に連通されなくなり、第一排紙通路８５がスキャン通路８４に連通される。封鎖片７２が第二位置に切り換えられると、第一排紙通路８５が封鎖され、第一排紙通路８５がスキャン通路８４に連通されなくなり、第二排紙通路８６がスキャン通路８４に連通される。
【００１５】
前記２つの排紙ローラーセット８１、８２は排紙通路８５、８６の末端にそれぞれ設置されると共にモーターに連結され、モーターにより排紙ローラーセット８１、８２が駆動されて排紙通路８５、８６内の用紙２００が排紙される。本実施形態では、何れか１つの排紙ローラーセットが第一排紙ローラーセット８１と定義され、もう１つの排紙ローラーセットが第二排紙ローラーセット８２と定義される。第一排紙ローラーセット８１はモーターに連結され、２つの第一排紙ローラー８１１を備え、２つの第一排紙ローラー８１１は第一排紙通路８５の末端の両側にそれぞれ対応し合うように設置される。前記第二排紙ローラーセット８２はモーターに連結され、２つの第二排紙ローラー８２１を備え、２つの第二排紙ローラー８２１は第二排紙通路８６の末端の両側にそれぞれ対応し合うように設置される。
【００１６】
続いて、図１及び図２に示されるように、前記複数の用紙搬送ローラーセット６はモーターにそれぞれ連結され、モーターにより駆動されて給紙される用紙２００を搬送させる。各前記用紙搬送ローラーセット６は上部用紙搬送ローラー６４及び下部用紙搬送ローラー６５を備え、各上部用紙搬送ローラー６４及び下部用紙搬送ローラー６５は給紙通路８３、スキャン通路８４及び排紙通路８５、８６内の両側にそれぞれ対応し合うように設置されると共に用紙分離ローラーセット３と排紙ローラーセット８１、８２との間に設置される。本実施形態では、給紙通路８３内の超音波センサ４の前方の第一用紙搬送ローラーセット６１の位置、スキャン通路８４内のスキャンモジュール５の前方の第二用紙搬送ローラーセット６２の位置、及び第一排紙通路８５内の第三用紙搬送ローラーセット６３の位置にそれぞれ設置される３つの用紙搬送ローラーセット６を含み、前記制御装置はモーター及び超音波センサ４に連結される。
【００１７】
図１乃至図３を参照し、本発明に係る２つの排紙通路を有するスキャン装置１００の動作原理を下述する。
初期状態では、封鎖片７２は第一位置に切り換えられ、使用者がスキャン命令を出すと、ピックアップローラー２がスキャンされる用紙２００の上表面に当着するまで下に移動し、制御装置によりモーターが制御されてピックアップローラー２が駆動されて回転を行うことによってスキャンされる用紙２００が掴み取られると共に給紙通路８３に向けて給紙される。モーターにより用紙分離ローラーセット３の上部用紙分離ローラー３１及び下部用紙分離ローラー３２が駆動されて回転を行い、上部用紙分離ローラー３１及び下部用紙分離ローラー３２が組み合わせられて給紙通路８３に給紙される用紙２００の分離が行われ、その後に分離された用紙２００が継続して前へ向けて給紙される。超音波センサ４が用紙分離ローラーセット３により分離された用紙２００の給紙が１枚給紙であるか複数枚給紙であるかを検知する。具体的には、超音波発信機４１から発射される超音波信号が用紙分離ローラーセット３により分離された用紙２００を通過させ、超音波受信機４２により超音波発信機４１から発射された超音波信号が受信され、超音波受信機４２は受信された信号に基づいて用紙分離ローラーセット３により分離された用紙２００の給紙が１枚給紙であるか複数枚給紙であるかを判断させる。
【００１８】
給紙される用紙２００が１枚で給紙されたことが検知されると、第一用紙搬送ローラーセット６１は超音波センサ４を通過させた用紙２００を継続してスキャン通路８４に給紙させる。上部スキャンモジュール５１及び下部スキャンモジュール５２が組み合わせられて分離された用紙２００のスキャンが行われると共に第二用紙搬送ローラーセット６２によりスキャン後の用紙２００が第一排紙通路８５に給紙され、第三用紙搬送ローラーセット６３により第一排紙通路８５内に給紙される用紙２００が継続して前に向けて給紙された後、第一排紙ローラーセット８１により排紙される。超音波センサ４により給紙される用紙２００が複数枚で給紙されることが検知されると、複数枚の給紙信号が制御装置に伝送され、制御装置によりモーターが制御されてパススイッチャー７の封鎖片７２が駆動されて第二位置に切り換えられ、第一用紙搬送ローラーセット６１及び第二用紙搬送ローラーセット６２により複数枚で給紙された用紙が第二排紙通路８６に搬送されると共に第二排紙ローラー８２により排紙される。この際、スキャンモジュール５は起動されず、前記複数枚で給紙された用紙に対するスキャンは行われない。スキャンの完成後に第二排紙通路８６から排紙された用紙２００に対する再スキャンが行われるのみで、全ての用紙２００の完全なスキャンが完成する。
【００１９】
上述したように、本発明の２つの排紙通路を有するスキャン装置１００において、制御装置は用紙分離ローラーセット３が給紙した用紙２００の給紙が１枚給紙であるか複数枚給紙であるかを検知する超音波センサ４からの信号に基づいてモーターでパススイッチャー７を駆動して第一位置または第二位置に切り換えることにより、１枚で給紙及び複数枚で給紙される用紙はスキャン過程中に排紙通路からそれぞれ選択的に排紙されることが可能である。スキャンの完成後に、複数枚で給紙される用紙に対する再スキャンを行うのみで全ての用紙２００に対するスキャンが完成する。本発明に係る２つの排紙通路を有するスキャン装置１００はスキャン過程中に複数枚の給紙が発生しても使用に不便をきたさず、使用者の需要を満たすことが可能である。
【００２０】
（付記）
（付記１）
内部には外部に連通される給紙通路が設けられ、前記給紙通路の前方には前記給紙通路に連接されるスキャン通路が設けられ、前記スキャン通路の前方には前記スキャン通路にそれぞれ連接される２つの排紙通路が設けられる２つの排紙通路を有するスキャン装置であって、前記２つの排紙通路を有する前記スキャン装置は、
少なくとも１つのモーターと、
前記給紙通路の後方に設けられ、スキャンされる用紙を置くための用紙トレイと、
前記モーターに連結され、スキャンされる複数枚の用紙の上方に上下移動可能に設置され、前記モーターにより駆動されて回転を行うことにより前記スキャンされる用紙が掴み取られると共に前記給紙通路に向けて給紙されるピックアップローラーと、
前記給紙通路内の前記用紙トレイに隣接する一端に装設され、前記モーターに連結され、前記モーターにより駆動されて前述の給紙された用紙の分離を行う用紙分離ローラーセットと、
超音波発信機及び超音波受信機を含み、前記超音波発信機及び超音波受信機は前記給紙通路の上下両側にそれぞれ設置されると共に前記用紙分離ローラーセットの前方に設置され、前記用紙分離ローラーセットにより分離された用紙の給紙が１枚給紙であるか複数枚給紙であるかを検知するための超音波センサと、
前記スキャン通路内に装設され、分離された用紙に対するスキャンを行うスキャンモジュールと、
前記モーターに連結されると共に前記２つの排紙通路及び前記スキャン通路の連接箇所に設置され、前記モーターにより駆動されて第一位置及び第二位置に切り換えられ、前記第一位置に切り換えられた場合、一方の排紙通路及び前記スキャン通路が封鎖され、他方の排紙通路及び前記スキャン通路が連通され、前記第二位置に切り換えられた場合、元々封鎖されていた排紙通路が開かれて前記スキャン通路に連通されると共に、元々前記スキャン通路に連通されていた排紙通路が封鎖されるパススイッチャーと、
前記モーター及び超音波センサに連結され、用紙分離ローラーセットが給紙した用紙の給紙が１枚給紙であるか複数枚給紙であるかを検知する前記超音波センサからの信号に基づいて前記モーターで前記パススイッチャーを駆動して前記第一位置または前記第二位置に切り換え、１枚で給紙及び複数枚で給紙された用紙が排紙通路からそれぞれ選択的に排紙される制御装置と、
を備えることを特徴とする２つの排紙通路を有するスキャン装置。
【００２１】
（付記２）
前記スキャンモジュールは、前記スキャン通路内の上下両側にそれぞれ設置される上部スキャンモジュール及び下部スキャンモジュールを備えることを特徴とする付記１に記載の２つの排紙通路を有するスキャン装置。
【００２２】
（付記３）
前記パススイッチャーは前記モーターに連結されるシャフト及びシャフトに固設される封鎖片を備え、前記モーターにより前記シャフトが駆動されて回転を行うと、前記封鎖片が前記第一位置及び前記第二位置に切り換えられることを特徴とする付記１に記載の２つの排紙通路を有するスキャン装置。
【００２３】
（付記４）
２つの排紙ローラーセットを更に備え、前記排紙通路の末端にそれぞれ設置されると共に前記モーターに連結され、前記モーターにより前記排紙ローラーセットが駆動されて前記排紙通路内の用紙が排紙されることを特徴とする付記１に記載の２つの排紙通路を有するスキャン装置。
【００２４】
（付記５）
複数の用紙搬送ローラーセットを更に備え、前記モーターにそれぞれ連結されると共に前記給紙通路、前記スキャン通路及び前記排紙通路内に設置され、給紙された用紙を搬送するための用紙搬送ローラーセットを前記モーターが駆動することを特徴とする付記１に記載の２つの排紙通路を有するスキャン装置。
【符号の説明】
【００２５】
１００  スキャン装置
１      用紙トレイ
２      ピックアップローラー
３      用紙分離ローラーセット
３１    上部用紙分離ローラー
３２    下部用紙分離ローラー
４      超音波センサ
４１    超音波発信機
４２    超音波受信機
５      スキャンモジュール
５１    上部スキャンモジュール
５２    下部スキャンモジュール
６      用紙搬送ローラーセット
６１    第一用紙搬送ローラーセット
６２    第二用紙搬送ローラーセット
６３    第三用紙搬送ローラーセット
６４    上部用紙搬送ローラー
６５    下部用紙搬送ローラー
７      パススイッチャー
７１    シャフト
７２    封鎖片
８１    第一排紙ローラーセット
８１１  第一排紙ローラー
８２    第二排紙ローラーセット
８２１  第二排紙ローラー
８３    給紙通路
８４    スキャン通路
８５    第一排紙通路
８６    第二排紙通路
２００  用紙
【図１】
2019119561.tif 000003
【図２】
2019119561.tif 000004
【図３】
2019119561.tif 000005